【事件の表示】
　特許第３０２４１９４号「カメラのアクティブ多点測距装置」の請求項１に係る特許に対する特許異議の申立てについて、次のとおり決定する。
【結　論】
　訂正を認める。
　特許第３０２４１９４号の請求項１に係る特許を維持する。
【理　由】
１．手続の経緯
　特許第３０２４１９４号の請求項１に係る発明（以下、本件発明という）は、平成２年１０月１５日に特許出願され、平成１２年１月２１日にその特許権の設定登録がなされ、その後、異議申立人有限会社オフィスアテナ（以下、申立人という）により特許異議の申立てがなされ、取消しの理由が通知され、その指定期間内である平成１３年４月１９日に訂正請求がなされたものである。
　
２．訂正の適否についての判断
（１）訂正の内容
（ａ）訂正事項ａ
　特許請求の範囲の記載について、「【請求項１】被写界のほぼ中央領域に向けて変調光又は単投光を複数回投射する第１の投光手段と、被写界の前記中央領域以外の領域に向けて変調光又は単投光を複数回投射する第２の投光手段と、前記第１、第２の投光手段から投射された変調光又は単投光の前記各各の領域からの反射光を受光し、前記被写界に存在する測距対象までの距離に対応した測距信号を出力する受光手段と、前記測距信号に基づいて距離データを演算する信号処理回路とを有するカメラのアクティブ多点測距装置において、前記第１、第２の投光手段からの変調光又は単投光の投射回数を制御し、前記第１の投光手段からの前記投射回数を前記第２の投光手段からの前記投射回数よりも多くする投射制御手段を含むことを特徴とするカメラのアクティブ多点測距装置。」とあるのを、「【請求項１】被写界のほぼ中央領域に向けて単投光を複数回投射する第１の投光手段と、被写界の前記中央領域以外の領域に向けて単投光を複数回投射する第２の投光手段と、前記第１、第２の投光手段から投射された単投光の前記各各の領域からの反射光を受光し、前記被写界に存在する測距対象までの距離に対応した測距信号を出力する受光手段と、前記第１、第２の投光手段からの単投光の投射回数を制御し、前記第１の投光手段からの前記投射回数を前記第２の投光手段からの前記投射回数よりも多くする投射制御手段と、前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第１の距離データと第２の距離データとに基づいてレンズを駆動するための測距結果を演算する信号処理回路とを備えることを特徴とするカメラのアクティブ多点測距装置。」と訂正する。
（ｂ）訂正事項ｂ
　【発明の詳細な説明】の「変調光又は単投光」とある（特許公報第１頁右欄第６、７行）のを、「単投光」と訂正する。
（ｃ）訂正事項ｃ
　【発明の詳細な説明】の「上記課題の解決のため本発明では、被写界のほぼ中央領域に向けて変調光又は単投光を複数回投射する第１の投光手段と、被写界の前記中央領域以外の領域に向けて変調光又は単投光を複数回投射する第２の投光手段と、前記第１、第２の投光手段から投射された変調光又は単投光の前記各各の領域からの反射光を受光し、前記被写界に存在する測距対象までの距離に対応した測距信号を出力する受光手段と、前記測距信号に基づいて距離データを演算する信号処理回路とを有するカメラのアクティブ多点測距装置において、前記第１、第２の投光手段からの変調光又は単投光の投射回数を制御し、前記第１の投光手段からの前記投射回数を前記第２の投光手段からの前記投射回数よりも多くする投射制御手段を含むカメラのアクティブ多点測距装置を構成した。」とある（特許公報第２頁左欄第２１〜３４行）のを、「本発明によるカメラのアクティブ多点測距装置は、被写界のほぼ中央領域に向けて単投光を複数回投射する第１の投光手段と、被写界の前記中央領域以外の領域に向けて単投光を複数回投射する第２の投光手段と、前記第１、第２の投光手段から投射された単投光の前記各各の領域からの反射光を受光し、前記被写界に存在する測距対象までの距離に対応した測距信号を出力する受光手段と、前記第１、第２の投光手段からの単投光の投射回数を制御し、前記第１の投光手段からの前記投射回数を前記第２の投光手段からの前記投射回数よりも多くする投射制御手段と、前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第１の距離データと第２の距離データとに基づいてレンズを駆動するための測距結果を演算する信号処理回路とを備えることを特徴とする。」と訂正する。
（ｄ）訂正事項ｄ
　【発明の詳細な説明】の「測距対象の複数の測距点に投射される変調光又は単投光の投射の反復回数が測距点により重みが付けられ異なる。」とある（特許公報第２頁左欄第３６〜３８行）のを、「測距対象の複数の測距点に投射される単投光の投射の反復回数が測距点により重みが付けられ異なる。」と訂正する。
（２）訂正の目的の適否、新規事項の有無及び拡張・変更の存否
　上記訂正事項ａについて、「変調光又は単投光」という択一的記載の一方を削除すること、また、「前記測距信号に基づいて距離データを演算する信号処理回路」を、「前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第２の距離データと第２の距離データとに基づいてレンズを駆動するための測距結果を演算する信号処理回路」に変更することは特許請求の範囲の減縮であるから、上記訂正事項ａは特許請求の範囲の減縮を目的とした明細書の訂正に該当する。また、上記訂正事項ｂ、ｃ、ｄは、上記訂正事項ａと整合を図るものであるから、明りょうでない記載の釈明を目的とした明細書の訂正に該当する。
　そして、上記訂正事項ａ、ｂ、ｃ、ｄのいずれも、新規事項の追加に該当せず、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議の申立てについての判断
（１）申立の理由の概要
　申立人は、甲第１号証（特開平２−１５８７０５号公報）、甲第２号証（特開平１−２５０８１３号公報）を提示して、
（イ）本件発明は、甲第１号証に記載された発明であるから、特許法第２９条第１項第３号の発明に該当する、
（ロ）本件発明は、甲第１及び２号証に記載された発明から当業者が容易に発明し得るものであり、特許法第２９条第２項の規定に違反してなされたものである、
（ハ）本件特許明細書は、特許法第３６条第４項及び第５項に規定する要件を満たしていない
から、特許法第１１３条第２号及び第４号に該当し、取り消すべきであると主張している。
（２）本件発明
　上記２．で示したように上記訂正が認められるから、本件発明は、上記訂正請求に係る訂正明細書の特許請求の範囲の請求項１に記載された事項により特定される次のとおりのものである。
「被写界のほぼ中央領域に向けて単投光を複数回投射する第１の投光手段と、被写界の前記中央領域以外の領域に向けて単投光を複数回投射する第２の投光手段と、前記第１、第２の投光手段から投射された単投光の前記各各の領域からの反射光を受光し、前記被写界に存在する測距対象までの距離に対応した測距信号を出力する受光手段と、前記第１、第２の投光手段からの単投光の投射回数を制御し、前記第１の投光手段からの前記投射回数を前記第２の投光手段からの前記投射回数よりも多くする投射制御手段と、前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第１の距離データと第２の距離データとに基づいてレンズを駆動するための測距結果を演算する信号処理回路とを備えることを特徴とするカメラのアクティブ多点測距装置。」
（３）引用刊行物記載の発明
　当審が平成１２年１２月１８日付で通知した取消しの理由に引用された刊行物１（特開平２−１５８７０５号公報：申立人の提出した甲第１号証）には、
・「（１）撮影画枠内の複数の測距装置にある被写体の距離をそれぞれ測距する多点測距カメラにおいて、上記各位置において、測距時間は長いが距離分解能の高い第１測距モードと、測距時間は長いが距離分解能の低い第２測距モードの少なくとも２つのモードを有する測距手段と、この測距手段による測距にあたって、上記複数の測距位置の全てを上記第２測距モードによって測距し、この結果に基づいて測距位置を選択し、続いてこの選択した測距位置を上記第１測距モードで測距を行なわせる制御手段と、を具備したことを特徴とする多点測距カメラ。」（特許請求の範囲）
・「本発明は多点測距カメラ、更に詳しくは、複数の赤外発光ダイオードより赤外光を被写体に向けて投射し、その被写体からの反射光を受光することにより被写体距離を自動的に測距して合焦点へレンズ駆動する、所謂アクティブ方式の多点測距カメラに関する。」（公報第１頁左下欄第１９行〜同右下欄第４行）
・「測距手段１４は、上記制御手段７に内蔵されたＣＰＵから測距開始信号Ｓ１と測距ポイント設定信号Ｓ２とを受信すると、同設定信号Ｓ２で設定された測距ポイントの測距を開始し、測距結果を測距データＳ４として上記ＣＰＵにて返送する。」（公報第２頁左下欄第１２〜１７行）
・「第３図は、ファインダ視野枠の構成図で、・・第３図に示す如く、ファインダ視野枠５６ｃ内の画面に対し、測距枠５６ｄ，５６ｅ，５６ｆにより測距ポイントＡ，Ｂ，Ｃの各点の測距を行なう」（公報第２頁右下欄第５〜１０行）
・「次に、本発明の具体的な実施例について説明する。・・ＩＲＥＤ（赤外発光ダイオード）１で発光した光は、投光レンズ２で集光されて被写体３に向けて照射され、その反射光は受光レンズ４により半導体からなる周知の位置検出装置（以下、ＰＳＤと略記する）５上に結像される。このＰＳＤ５は、その結像位置に応じて光電流Ｉ１及びＩ２が分流され、この分流するＩ１及びＩ２はＡＦ用ＩＣ６に供給される。このＡＦ用ＩＣ６は、ＩＲＥＤ制御用トランジスタ１Ａを介し上記ＩＲＥＤ１をパルス駆動すると共に、上記ＰＳＤ５からの光電流Ｉ１，Ｉ２に基づく測距データ及び反射光強度データをＣＰＵが内蔵された制御手段７に供給する。・・ＰＳＤ５の光電流Ｉ１／Ｉ２が求まれば、被写体距離ｌが一義的に決定されることになる。・・第５図において、３個のＩＲＥＤ４１ａ，４１ｂ，４１ｃに対して３個のＰＳＤ４４ａ，４４ｂ，４４ｃが用いられていて、３個のＩＲＥＤ４１ａ、４１ｂ、４１ｃからの各測距用赤外ビーム４７ａ，４７ｂ，４７ｃは投光レンズ４２により被写体に向かい、被写体で反射された各ビームは受光レンズ４３により３個のＰＳＤ４４ａ，４４ｂ，４４ｃのうちの対応するＰＳＤに入射するようになっている。」（公報第３頁右下欄第１行〜第４頁左下欄第３行）
・「デコーダ６８は３個のＩＲＥＤ４１ａ，４１ｂ，４１ｃをパルス発光させるためのドライバ６９に発信器６５からの一定周波数の駆動パルス信号ａを送るようになっており、」（公報第５頁左上欄第８〜１２行）
・「このように構成された本実施例の動作を第１１図に示すフローチャートで説明する。このフローチャートでは、測距時間の短い、例えばＮ０＝１６の第２測距モードで測距ポイントＡ，Ｂ，Ｃの各点を測距し、その結果、最も至近寄りの測距ポイントを選択し、今度はその測距ポイントのみ、例えばＮ０＝６４の第１測距モードで測距して合焦レンズを繰り出すようにしている。」（公報第７頁左下欄第４〜１１行）
・「以上述べたように本発明によれば、・・複数の測距位置の全てを距離分解能は低いが測距時間の短い第２測距モードで測距し、この測距結果に基づいて選択された測距位置に対してのみ、測距時間は長いが距離分解能の高い第１測距モードで測距するので、高精度のＡＦが実現できると共にレリーズタイムラグが短くなるという顕著な効果が発揮される。」（公報第８頁第８〜１８行）
と記載され、また、第３図には、ファインダ視野枠のほぼ中央領域に測距ポイントＢが、中央領域以外の領域に測距ポイントＡ，Ｃが配置されている構成が記載されている。
　ここで、刊行物１のファインダ視野枠のほぼ中央領域に測距ポイントＢが、中央領域以外の領域に測距ポイントＡ，Ｃが配置されている構成は、被写界のほぼ中央領域と中央領域以外の領域に向けてＩＲＥＤの発光光を投射する構成を示すと認められるから、刊行物１には、「被写界のほぼ中央領域に向けてパルス光を複数回投射するＩＲＥＤ４１ｂと、被写界の中央領域以外の領域に向けてパルス光を複数回投射するＩＲＥＤ４１ａ，４１ｃと、ＩＲＥＤ４１ａ，４１ｂ，４１ｃから投射されたパルス光の各各の領域からの反射光を受光し、被写界に存在する被写体までの距離に対応した測距データＳ４を出力するＰＳＤ４４ａ，４４ｂ，４４ｃと、ＩＲＥＤ４１ａ，４１ｂ，４１ｃからのパルス光の投射回数の多い第１測距モードと少ない第２測距モードの２つの測距モードを有する測距手段と、この測距手段による測距にあたって、複数の領域の全てを第２測距モードによって測距し、この結果に基づいて１つの領域を選択し、続いてこの選択した領域を第１測距モードで測距を行なわせる制御手段と、第１測距モードの測距結果に基づいてレンズを駆動するための測距結果を演算する制御手段７を具備するカメラのアクティブ多点測距装置。」（引用発明１）が記載されていると認められる。
　また、当審が平成１２年１２月１８日付で通知した取消しの理由に引用された刊行物２（特開平１−２５０８１３号公報：申立人の提出した甲第２号証）には、
・「本発明は多点測距装置、更に詳しくは、複数の赤外発光ダイオードにより赤外光を被写体に向けて投射し、その被写体からの反射光を受光することにより被写体距離を自動的に測距する、所謂アクティブ方式の多点測距装置に関する。」（公報第１頁左下欄第１９行〜同右下欄第３行）
・「第１図は、本発明の一実施例を示す多点測距装置の光学配置を示す図である。この多点測距装置は、投光レンズ１ｂとＩＲＥＤ３ｂとからなり撮影レンズの光軸方向に投光する中央測距用の第１投光手段４７と、投光レンズ１ａとＩＲＥＤ３ａ、３ｃからなり上記光軸以外の方向に投光する左右測距用の第２投光手段４８と、受光レンズ２とＰＳＤ４からなり被写体からの反射光の受光位置に応じた出力電流Ｉ１，Ｉ２を発生する光電変換手段４９と、この光電変換手段からの出力電流Ｉ１，Ｉ２に基づいて被写体距離ｌを演算する演算手段１１とで、その主要部が構成されている。」（公報第３頁右上欄第１６行〜同左下欄第７行）
・「同ＣＰＵ５は、カメラ全体のシーケンスを司り、・・この測距データに基づいて、ＣＰＵ５は、ドライバ８を介して撮影レンズを繰り出すためのモータ９を駆動すると共に、ＩＲＥＤドライバ用トランジスタ７ａ，７ｂ，７ｃを介してＩＲＥＤ３ａ，３ｂ，３ｃを順次駆動する。」（公報第３頁右下欄第６〜１４行）
・「そこで、第１図のように、中央測距用ＩＲＥＤ３ｂからの投射光を集光する投光レンズ１ｂと、左右測距用ＩＲＥＤ３ａ，３ｃからの投射光を集光する投光レンズ１ａとをそれぞれ分けると共に、受光レンズ２との基線長をそれぞれＳ１，Ｓ２（Ｓ１＞Ｓ２）として基線長Ｓ１を従来例の基線長Ｓに等しく設定し、Ｓ１＞Ｓ２となるように左右測距用の第２投光手段を配置しているから、中央測距用の第１投光手段による測距精度は従来どおり実現される。」（公報第４頁右下欄第２０行〜第５頁左上欄第９行）
・「従って、中央測距用のＩＲＥＤ３ｂの基線長Ｓ１が左右測距用ＩＲＥＤ３ａ，３ｃの基線長Ｓ２より大きくとってあるので、遠距離の測距精度が高くなり、風景の描写力に優れたＡＦカメラが実現できる。」（公報第６頁左上欄第２〜６行）
と記載されている。
　すなわち、刊行物２には、中央測距用の第１投光手段と、左右測距用の第２投光手段と、被写体からの反射光の受光位置に応じた出力電流を出力する光電変換手段と、前記出力電流に基づいて被写体距離を演算する演算手段とを備えるカメラのアクティブ多点測距装置において、第１投光手段の基線長を第２投光手段の基線長より大きくした構成が記載されていると認められる。
（４）引用刊行物についての対比・判断
　引用発明の「ＩＲＥＤ４１ｂ」、「ＩＲＥＤ４１ａ，４１ｃ」、「ＰＳＤ４４ａ，４４ｂ，４４ｃ」、「被写体」、「測距データＳ４」が、それぞれ、本件発明の「第１の投光手段」、「第２の投光手段」、「受光手段」、「測距対象」、「測距信号」に相当するから、本件発明と引用発明とを比較すると、
「被写界のほぼ中央領域に向けて光を複数回投射する第１の投光手段と、被写界の前記中央領域以外の領域に向けて光を複数回投射する第２の投光手段と、前記第１、第２の投光手段から投射された光の各各の領域からの反射光を受光し、被写界に存在する測距対象までの距離に対応した測距信号を出力する受光手段とを備えるカメラのアクティブ多点測距装置」で一致し、
（イ）本件発明では「単投光」であるのに対し、引用発明では「パルス光」である点、
（ロ）本件発明では、「前記第１、第２の投光手段からの単投光の投射回数を制御し、前記第１の投光手段からの前記投射回数を前記第２の投光手段からの前記投射回数よりも多くする投射制御手段と、前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第２の距離データと第２の距離データとに基づいてレンズを駆動するための測距結果を演算する信号処理回路とを備える」のに対し、引用発明では、「ＩＲＥＤ４１ａ，４１ｂ，４１ｃからのパルス光の投射回数の多い第１測距モードと少ない第２測距モードの２つの測距モードを有する測距手段と、この測距手段による測距にあたって、複数の領域の全てを第２測距モードによって測距し、この結果に基づいて１つの領域を選択し、続いてこの選択した領域を第１測距モードで測距を行なわせる制御手段を具備する」点
で、相違すると認められる。
（イ）の点については、カメラのアクティブ多点測距装置の投射光として、単投光を用いること、パルス光を用いることは、ともに周知であり、引用発明のパルス光に代えて、単投光を用いることに何ら困難なものはない。
（ロ）の点について、引用発明では、投射回数の少ない第１測距モードで複数の領域の全てを測距し、その結果から１つの領域を選択して、投射回数の多い第２測距モードで該領域を測距するという、２回測距する方法であるのに対して、本件発明では、中央領域を投射回数の多い測距方法、それ以外の領域を投射回数の少ない測距方法により１回測距する方法であり、基本的な構成を異にしており、同一であるとは認められない。
　また、刊行物１に記載されるように、引用発明は、測距時間は短いが距離分解能の低い第２の測距モードによる測距結果により１つの測距領域を選択して、その領域について測距時間は長いが距離分解能の高い第１の測距モードで測距を行う構成により、高精度のＡＦが実現できると共にレリーズタイムラグが短くなるという効果を奏し得るものである。ここに、刊行物１に「従来の経験則、つまり主要被写体は画面の中央にある確率が８０％以上であるという統計結果」（公報第３頁左下欄第１５〜１７行）と記載されるように主要被写体が画面の中央にある確率が高いということが技術常識であると認められるものの、引用発明において、中央領域に重点を置いて、中央領域を測距時間は長いが距離分解能の高い第１の測距モード、中央以外の領域を測距時間は短いが距離分解能の低い第２の測距モードにより１回測距するよう構成することは、中央以外の領域に主要被写体が存在するときにＡＦ精度が低下し、引用発明の高精度のＡＦが実現できるという効果を損ねるものであるから、引用発明では到底想定し得ることではない。
　さらに、刊行物２に記載されるように、中央領域の測距における基線長を、それ以外の領域の測距における基線長より長くすることにより、中央領域の測距精度をそれ以外の領域の測距精度より高くする構成が公知であるが、上記と同様、刊行物２に記載された構成を参照しても、引用発明から本件発明が容易に想到し得るとは認められない。
（５）申立人の主張について
　上記の３（１）の（イ）、（ロ）の主張は、上記３（２）〜（４）に記載したとおり、採用することはできない。
　また、同（ハ）の主張は、訂正により、「変調光」が削除されたから、申立人主張の記載不備は解消し、理由のないものとなった。
　
４．むすび
　以上のとおりであるから、異議申立人の理由及び証拠によっては、本件発明についての特許を取り消すことができない。
　また、他に、本件発明についての特許を取り消すべき理由を発見しない。
　よって結論のとおり決定する。
【異議決定日】
平成１３年５月１４日（２００１．５．１４）
【訂正の要旨】
訂正の要旨
（１）訂正事項ａ
特許第３０２４１９４号明細書中の特許請求の範囲、「【請求項１】被写界のほぼ中央領域に向けて変調光又は単投光を複数回投射する第１の投光手段と、被写界の前記中央領域以外の領域に向けて変調光又は単投光を複数回投射する第２の投光手段と、前記第１、第２の投光手段から投射された変調光又は単投光の前記各各の領域からの反射光を受光し、前記被写界に存在する測距対象までの距離に対応した測距信号を出力する受光手段と、前記測距信号に基づいて距離データを演算する信号処理回路とを有するカメラのアクティブ多点測距装置において、前記第１、第２の投光手段からの変調光又は単投光の投射回数を制御し、前記第１の投光手段からの前記投射回数を前記第２の投光手段からの前記投射回数よりも多くする投射制御手段を含むことを特徴とするカメラのアクティブ多点測距装置。」とあるのを、「【請求項１】被写界のほぼ中央領域に向けて単投光を複数回投射する第１の投光手段と、被写界の前記中央領域以外の領域に向けて単投光を複数回投射する第２の投光手段と、前記第１、第２の投光手段から投射された単投光の前記各各の領域からの反射光を受光し、前記被写界に存在する測距対象までの距離に対応した測距信号を出力する受光手段と、前記第１、第２の投光手段からの単投光の投射回数を制御し、前記第１の投光手段からの前記投射回数を前記第２の投光手段からの前記投射回数よりも多くする投射制御手段と、前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第１の距離データと第２の距離データとに基づいてレンズを駆動するための測距結果を演算する信号処理回路とを備えることを特徴とするカメラのアクティブ多点測距装置。」と訂正する。
（２）訂正事項ｂ
特許第３０２４１９４号明細書中の【発明の詳細な説明】の「変調光又は単投光」とある（特許公報第１頁右欄第６、７行）のを、「単投光」と訂正する。
（３）訂正事項ｃ
特許第３０２４１９４号明細書中の【発明の詳細な説明】の「上記課題の解決のため本発明では、被写界のほぼ中央領域に向けて変調光又は単投光を複数回投射する第１の投光手段と、被写界の前記中央領域以外の領域に向けて変調光又は単投光を複数回投射する第２の投光手段と、前記第１、第２の投光手段から投射された変調光又は単投光の前記各各の領域からの反射光を受光し、前記被写界に存在する測距対象までの距離に対応した測距信号を出力する受光手段と、前記測距信号に基づいて距離データを演算する信号処理回路とを有するカメラのアクティブ多点測距装置において、前記第１、第２の投光手段からの変調光又は単投光の投射回数を制御し、前記第１の投光手段からの前記投射回数を前記第２の投光手段からの前記投射回数よりも多くする投射制御手段を含むカメラのアクティブ多点測距装置を構成した。」とある（特許公報第１頁右欄第２１〜３４行）のを、「本発明によるカメラのアクティブ多点測距装置は、被写界のほぼ中央領域に向けて単投光を複数回投射する第１の投光手段と、被写界の前記中央領域以外の領域に向けて単投光を複数回投射する第２の投光手段と、前記第１、第２の投光手段から投射された単投光の前記各各の領域からの反射光を受光し、前記被写界に存在する測距対象までの距離に対応した測距信号を出力する受光手段と、前記第１、第２の投光手段からの単投光の投射回数を制御し、前記第１の投光手段からの前記投射回数を前記第２の投光手段からの前記投射回数よりも多くする投射制御手段と、前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第１の距離データと第２の距離データとに基づいてレンズを駆動するための測距結果を演算する信号処理回路とを備えることを特徴とする。」と訂正する。
（４）訂正事項ｄ
特許第３０２４１９４号明細書中の【発明の詳細な説明】の「測距対象の複数の測距点に投射される変調光又は単投光の投射の反復回数が測距点により重みが付けられ異なる。」とある（特許公報第２頁左欄第３６〜３８行）のを、「測距対象の複数の測距点に投射される単投光の投射の反復回数が測距点により重みが付けられ異なる。」と訂正する。
（５４）【発明の名称】
カメラのアクティブ多点測距装置
（５７）【特許請求の範囲】
　【請求項１】
　被写界のほぼ中央領域に向けて
単投光
　被写界の前記中央領域以外の領域に向けて
単投光
　前記第１、第２の投光手段から投射された
単投光
　前記第１、第２の投光手段からの単投光の投射回数を制御し、前記第１の投光手段からの前記投射回数を前記第２の投光手段からの前記投射回数よりも多くする投射制御手段と、
　前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第１の距離データと第２の距離データとに基づいてレンズを駆動するための測距結果を演算する信号処理回路とを備える
【発明の詳細な説明】
［産業上の利用分野］
　本発明はカメラのアクティブ多点測距装置に関するものである。更に詳しくは、測距対象の複数の測距点に
単投光
［従来の技術］
　従来アクティブ測距装置として被写体に変調光又は単投光を複数回投光し、被写体からの反射光を位置検出素子により受光し、電気的処理してアナログ又はデジタルデータとして測距データを得るものがある。この種の装置では複数回反復して投光を行い１回の投光毎に得られるデータを積分又は加算平均等の処理を行うことにより高い精度の測距データを得ている。
　高い精度を得るため、すなわち測距データのばらつきを小さくするためには一般に投光の回数を増しデータ数を増やしている。
　しかしながら投光の繰り返し回数を増加すると測距に要する時間が増加するという支障が生じる。
　他方、被写体上の複数の点を測距し、複数点の測距データを所定のアルゴリズムにより処理し精度良く合焦の最適点を求める多点測距装置がある。
［発明が解決しようとする課題］
　上記の如き従来の技術においては多点測距を順次行うと測距に必要な時間は１点の測距時間の測距点数倍となり測距に要する時間は非常に長くなりシャッターチャンスを逸するという問題点があった。
　本発明はこの様な従来の問題点に鑑みてなされたもので、測距精度を維持し、かつ測距時間が短縮可能なアクティブ多点測距装置を得ることを目的とする。
　［課題を解決する為の手段］
　
本発明によるカメラのアクティブ多点測距装置は、
単投光
単投光
単投光
前記第１、第２の投光手段からの単投光の投射回数を制御し、前記第１の投光手段からの前記投射回数を前記第２の投光手段からの前記投射回数よりも多くする投射制御手段と、前記第１の投光手段から前記単投光を複数回投射したときに得られる複数の前記測距信号により第１の距離データを算出し、前記第２の投光手段から前記単投光を複数回投射したときに得られる複数の前記測距信号により第２の距離データを算出し、前記第１の距離データと第２の距離データとに基づいてレンズを駆動するための測距結果を演算する信号処理回路とを備えることを特徴とする。
〔作用〕
　測距対象の複数の測距点に投射される
単投光
　中央部又は中央部に最も近い部分にある測距点に投射する反復回数が最も大きい。
［実施例］
　本発明の一実施例を第１図〜第６図により説明する。
　第１図は３点の測距点を有する本実施例のブロック図である。
　ＩＲＥＤ１１、１２、１３はスイッチ１４により選択的に発光素子駆動回路１５に接続され、制御回路９の指示に従い選ばれた１個のＩＲＥＤが点灯する。ＩＲＥＤの前部には投光レンズが設けられ、ＩＲＥＤ１２点灯時には撮影範囲のほぼ中央に、ＩＲＥＤ１１点灯時には撮影範囲内で中央より若干右寄りへ、ＩＲＥＤ１３点灯時には撮影範囲内で中央より若干左寄りヘスポット光を投射する。ＰＳＤ１、２、３の前面には受光レンズが設けられ前述の中央、右、左の各スポット光をそれぞれＰＳＤ２，１，３が受光する。ＳＷ４，５はＳＷ１４で選択されたＩＲＥＤに対応するＰＳＤからの信号が距離信号増幅回路６に接続されるべく制御回路９により切り換えられる。ＰＳＤへ照射された光の強度と光の位置に応じＰＳＤの両端より出力される光電流Ｉ１，Ｉ２は距離信号増幅回路６により電流電圧変換後増幅されＶ１，Ｖ２として出力される。距離信号Ｖ１積算回路７は１回の発光毎のＶ１を積算し、積算結果ΣＶ１を制御回路９に出力する。
　距離信号Ｖ２積算回路８は１回の発光毎のＶ２を積算し、積算結果ΣＶ２を制御回路９に出力する。
　制御回路９は積算結果ΣＶ１，ΣＶ２より後述のように処理を行い測距結果を得る。レンズ駆動回路１０は測距結果によりレンズの繰り出しを行う。
　次に動作について第２図について説明する。
　第２図はフローチャートである。
　測距は測光等と共にカメラのレリーズボタンの半押しにより開始する一連の撮影準備動作に含まれ、カメラの作動シーケンスに従い測距が開始する。（図２のフローチャートのステップ２０１）
　制御回路９は測距点を表す変数ｎに１を代入する（Ｓ２０２）。ｎ＝１によりＳＷ４，５，１４はｂに切り換わる（Ｓ２０４）。またｎ＝１により測距繰り返し回数を規定する変数ｍに１００を代入する（Ｓ２０９）。制御回路からの信号で発光素子駆動回路を作動させＳＷ１４＝ｂにより、ＩＲＥＤ１２が点灯し撮影範囲内ほぼ中央ヘスポット光を投光する（Ｓ２１０）。またＳＷ４，５＝ｂによりそのスポット光を受光するＰＳＤ２が距離信号増幅回路６に接続されている。距離信号増幅回路６はＰＳＤの両端よりの電流出力Ｉ１、Ｉ２を電流電圧変換後増幅し、それぞれＶ１，Ｖ２として出力する。距離信号Ｖ１積算回路７は１回の発光毎のＶ１を積算する（Ｓ２１１）。距離信号Ｖ２積算回路８は１回の発光毎のＶ２を積算する（Ｓ２１２）。ＩＲＥＤを消灯する（Ｓ２１３）。ｍを１づつ減算し（Ｓ２１５）、ｍ＝１となるまで（Ｓ２１４）、Ｓ２１０からＳ２１３を繰り返しデータの積算をする。
　ｎ＝１によりＳ２１８へ進む（Ｓ２１６）。１００回の積算終了後の距離信号積算値の和（ΣＶ１＋ΣＶ２）を繰り返し回数１００で割り、振幅平均値Ｖを得る（Ｓ２１８）。Ｖを後述の基準値Ｖｂと比較し、Ｖ≦Ｖｂの時は距離データ＝１とする（Ｓ２２２）。Ｖ＞Ｖｂの時はΣＶ１とΣＶ２より以下の関係を利用し既知の方法で距離データを得る（Ｓ２２１）。
　ここで得られる距離データは測距範囲の最遠をステップ１とし、最近をステップ１６とし、その間の距離は１〜１６までの値を連続的にとるものとする。
　ｎに１を加算しＳ２０３へ戻る（Ｓ２２４）。
　以降、上記と同様に繰り返し発光しデータの蓄積を行うがｎ＝２となるためＳＷ４，５，１４はａとなり（Ｓ２０５）撮影範囲内で中央より若干右寄りヘスポットが投光される。またｎ＝２より繰り返し発光回数は５０回となり、積算終了後はＳ２１７，Ｓ２１９で処理されＶ≦Ｖａｃの時は距離データ＝１とし（Ｓ２２２）。Ｖ＞Ｖａｃの時はΣＶ１とΣＶ２より距離データを得る（Ｓ２２１）。
　Ｖｂ，Ｖａｃに関しては詳細は後述する。
　同様にｎ＝３の時は撮影範囲内で中央より若干左寄りヘスポットが投光され、繰り返し発光回数は５０回となる。
　中央、右、左の測距終了後、多点測距アルゴリズムを用い３点の測距データより測距結果を求める（２２５）。測距結果によりレンズを駆動し撮影を行う（２２６）。
　多点測距のアルゴリズムとしてはすでに各種提案されているが本実施例の装置に於いては３点の内最も近いものが主要被写体であるとのアルゴリズムを有するものとし、３点の距離データより最近種のものを選ぶ。レンズ駆動に際しては得られた距離データの小数点以下を切り捨て１〜１６までの整数としその値に応じてレンズの繰り出しを行う。
　次に距離信号振幅がある値以下の時、強制的に被写体は最遠点にあるとし距離データを１とするための振幅判定レベルのＶｂ，Ｖａｃについて述べる。図３に測距データに対する測距信号振幅の関係を示す。図５に１００回繰り返し発光を行ったときの測距データに対する測距データのばらつき幅を示す。図５でわかる通り被写体が遠くなるすなわち測距データが小さくなるにつれ測距データのばらつきは大きくなり１．５ステップ付近でばらつきは±０．５を越える。これを防止するため測距信号振幅が小さくなると測距ばらつきが大きくなる事を利用し、測距信号振幅ＶがＶｂ以下となった時点で測距データを強制的に最遠ステップ値の１とする。これにより遠距離で信号振幅が小さくなったときに測距ステップのばらつきの影響を避ける事ができ１ステップから１６ステップまでの正確な測距が可能となる。なお１〜１．５ステップが１ステップとなるがレンズ駆動時に測距結果を整数値に丸める処置を行うため問題ない。
　図４に測距データに対する測距信号振幅の関係を示す。図６に５０回繰り返し発光を行ったときの測距データに対する測距データのばらつき幅を示す。図６で示されるステップ値のばらつき幅は繰り返し回数が少ないため大きくなっている。図６では２．５ステップ付近でばらつきは±０．５を越える。これを防止するため、測距信号振幅ＶがＶａｃ以下となった時点で測距データを強制的に最遠ステップ値の１とする。これにより遠距離で信号振幅が小さくなったときに測距ステップのばらつきの影響を避ける事ができる。５０回の繰り返しの場合は２．５ステップから１６ステップまでは正確な測距が可能となるが１〜２．５ステップが１ステップとなってしまい２ステップを正確に測距する事はできない。つまり本実施例の装置に於いては撮影範囲の中央は１〜１６ステップまで正確に測距する事が可能であるが右及び左の測距点は２ステップの一部が１ステップとなることがある。以上の結果として得られる３点の距離データを上述の至近選択の３点測距アルゴリズムを通して演算した結果には次の問題点を有す。
　中央の測距点の測距データが１ステップであり左又は右の測距点の少なくとも一方が２ステップの距離にあり残りが１ステップの距離にある場合、測距結果は２ステップとなるのが正しい。しかし上述の通り２ステップの距離の測距データが１ステップとなってしまう可能性がありアルゴリズム後の測距結果として１ステップと誤った結果となる。しかしながら誤った結果となる場合は上述のような特殊なパターンのみであり、また同パターンの場合でも右または左の測距点が１ステップ変化するだけであり中央の測距点は正確に測距している。さらに同パターンとなる条件は被写体が比較的遠距離にある場合であり３点の内の至近点を選択した場合に対し、中央の測距点のデータを採用したとしても、実際の撮影条件を考慮にいれると実写上大きな弊害は発生しない。
　なお本実施例では多点測距のアルゴリズムとして３点の内最も近いものが主要被写体であるとのアルゴリズムを有するものとしたが本発明は本アルゴリズムに限定されるものではない。
［発明の効果］
　以上述べたように本発明によれば
、単投光
　被写体距離は多くの場合、中央部の距離が最も重要な情報であり、この部分に投射する反復回数が最も大きく左右測定点には重みがかけられないので実写上の劣化が少なく良い精度を維持し時間短縮ができる。
【図面の簡単な説明】
　第１図は本発明の一実施例のブロック図、
　第２図は実施例の作動を表すフローチャート、
　第３図及び第４図は測距データに対する測距信号振幅の関係を示すグラフ、
　第５図及び第６図は１００回及び５０回繰り返し発光を行ったときの測距データに対する測距データのばらつき幅を示す図である。
［主要部品の符号の説明］
１，２，３……ＰＳＤ，
１１，１２，１３……ＩＲＥＤ
７，８……距離信号積算回路、９……制御回路